(57)【特許請求の範囲】
【請求項１】
所定波長の光信号を取り出して受信、あるいは所定波長の送信用光信号を挿入することにより、波長分割多重信号の分岐挿入を行うＯＡＤＭを有するＯＡＤＭノードにおいて、
各々利得一定制御される、ノード入力段及び出力段に配置される光増幅器と、
前記ＯＡＤＭの前段もしくは後段もしくは内部に配置される光減衰手段と、
前記ノード出力段に配置される光増幅器の出力部で、あらかじめ光信号と共に入力された所定波長を有する制御光のパワーレベルをモニタし、チャネル当りの光出力をあらかじめ定められた所定値に保つように前記光減衰手段を制御する第１の帰還手段と、
前記ノード出力段に配置される光増幅器の出力部で、前記挿入光信号を分岐してパワーレベルをモニタし、当該挿入光信号のチャネル当りの光出力を前記ノード出力段に配置される光増幅器出力の他の光信号のチャネル当りの光出力に等化されたあらかじめ定められた所定値に保つ第２の帰還手段と、
を有することを特徴とするＯＡＤＭノード。
【請求項２】
前記ＯＡＤＭは、受動光部品を用いて光信号のパワーの一部を分岐し、分波器により所定波長の光信号を取り出して受信、あるいは合波器により送信器からの所定波長の光信号を挿入することにより、波長分割多重信号の分岐挿入を行うことを特徴とする請求項１に記載のＯＡＤＭノード。
【請求項３】
前記第１の帰還手段は、チャネル当りの光出力一定制御の際に、光分波器と受光手段により当該全チャネルのパワーレベルをモニタし、当該モニタ値の中で最大のものをあらかじめ定められた所定値に保つことを特徴とする請求項１または２のいずれかに記載のＯＡＤＭノード。
【請求項４】
前記第１の帰還手段は、チャネル当りの光出力一定制御の際に、光スペクトルアナライザと受光手段により当該信号光のチャネル数とトータルのパワーレベルをモニタし、当該パワーレベルとチャネル数の商、すなわちチャネル当りの光出力をあらかじめ定められた所定値に保つことを特徴とする請求項１または２のいずれかに記載のＯＡＤＭノード。
【請求項５】
前記第２の帰還手段は、当該挿入光信号のチャネル当りの出力等化の際に、当該制御光とは別波長を有する第２の制御光のパワーレベルを前記ノード出力段に配置される光増幅器の出力部でモニタし、これを参照値として帰還制御を行うことを特徴とする請求項１または２のいずれかに記載のＯＡＤＭノード。
【請求項６】
前記第２の帰還手段は、当該挿入光信号のチャネル当りの出力等化の際に、当該光送信器の出力パワーレベルを当該合波用光部品への挿入点よりも前段でモニタし、あらかじめ定められた所定値に保つ帰還制御を行うことを特徴とする請求項２乃至５のいずれかに記載のＯＡＤＭノード。
【請求項７】
前記第２の帰還手段は、当該各挿入光信号のチャネル当りの出力等化の際に、前記分波器により取り出された所定の受信光信号のパワーレベルをモニタし、これを参照値として当該光送信器の出力パワーレベルの帰還制御を行うことを特徴とする請求項２乃至５のいずれかに記載のＯＡＤＭノード。
【請求項８】
前記第２の帰還手段は、当該挿入光信号のチャネル当りの出力等化の際に、当該分波器により当該挿入光信号と所定の受信光信号とを取り出してパワーレベルをモニタし、両者が同じ値をとる様当該光送信器の出力パワーレベルの帰還制御を行うことを特徴とする請求項２乃至５のいずれかに記載のＯＡＤＭノード。
【請求項９】
少なくとも１つのセンタノードと２つ以上のリモートノードを有し、それらが１本の光ファイバで結ばれたリングを構成し、前記センタノードと前記各リモートノードは各々異なる波長の光を用いて直接、通信経路を設定し、前記センタノードにおいては、前記各リモートノードへの光信号と所定波長を有する制御光とを送出すると共に前記各リモートノードからの光信号を受信し、当該各リモートノードにおいては、受動光部品を用いて、光信号のパワーの一部を分岐し光合分波器により所定波長の光信号を取り出して受信し、あるいは送信器からの所定波長の光信号を挿入することにより、前記センタノードとの送受信を行う波長多重ネットワークにおいて、
前記各リモートノードとして請求項２乃至８のいずれかに記載のＯＡＤＭノード用いて、各光信号の出力を所要値以内とすることを特徴とする波長多重ネットワーク。
【請求項１０】
少なくとも２つの階層化した構造を持つ光ネットワークにおいて、最も上位に位置するネットワークは、少なくともひとつのセンタノードと２つ以上のリモートノードを有し、それらが４本の光ファイバによって結ばれたリングネットワークであり、
最も下位のネットワークを除く中間のネットワークは、その上位のネットワークに属するノードをセンタノードとするリング構成であり、当該中間のリングネットワークに属する各ノードあるいは収容局間がそれぞれ４本の光ファイバによって結ばれ、当該下位のリングネットワークに属する当該収容局間を結ぶ２本のループ状の光ファイバの一方がそれぞれ開放されており、
前記最下位のネットワークは、光サービスユニットからのトラフィックを集約する収容局を中心としたスター構成で、当該各光サービスユニットと当該収容局の間をそれぞれ光ファイバで直接結ぶスターネットワークであり、
前記最上位のネットワークに属する前記センタノードと前記各光サービスユニットが、それぞれ波長の異なる光を用いて、上り用と下り用で異なる２本の光ファイバにより双方向伝送を行うことで直接通信経路を設定し、この両者の間に介在する収容局あるいはノードにおいては、電気的処理を一切行わず光信号のまま増幅と分岐あるいはルーティングのみを行う波長多重ネットワークにおいて、
前記最上位のネットワークに属する前記センタノードと前記各光サービスユニットの間に介在するリング状に接続された前記収容局あるいは前記ノードが、入力部および出力部に配置された利得一定制御された光増幅器、受動光部品、光減衰手段、とから構成され、前記センタノードより送出された第１の所定波長を有する制御光は、前記最上位のリングネットワーク中の下り用光ファイバを伝搬すると共に各リモートノードで分岐されて当該下位のリングネットワーク中の下り用光ファイバを伝搬し、当該開放点において折り返され、当該下位のリングネットワーク中の上り用光ファイバを伝搬して前記最上位のリングネットワーク中リモートノードの上り用光ファイバに配置された受動光部品へと挿入された後、前記リモートノードの出力段で光フィルタにより除去され、当該センタノードより送出された第２の所定波長を有する制御光は、前記最上位のリングネットワーク中の上り用光ファイバを伝搬し、
前記最上位のリングネットワーク中の下り用光ファイバ、当該下位のリングネットワーク中の下り用及び上り用光ファイバ、が接続された当該各収容局あるいは当該各ノードにおいては、当該ノードの出力段に配置された光増幅器の出力部で当該第１の所定波長を有する制御光のパワーレベルをでモニタし、当該光減衰手段に帰還して当該収容局あるいは当該ノードのチャネル当りの光出力をあらかじめ定められた所定値に保つ帰還手段を有し、
前記最上位のネットワークに属するリモートノードにおける、当該下位のリングネットワーク中の上り用光ファイバと当該最上位のリングネットワーク中の上り用光ファイバとの接続点では、前記第２の所定波長を有する制御光のパワーレベルを当該後段の光増幅器出力段でモニタし、当該光減衰手段に帰還してリモートノードのチャネル当りの光出力をあらかじめ定められた所定値に保つ帰還手段を有すると共に、当該下位のリングネットワークからの信号挿入点直前に利得一定制御された光増幅器と第２の光減衰手段とを配置され、当該第１の所定波長を有する制御光のパワーレベルをモニタし、当該第２の光減衰手段に帰還して当該ノードヘ挿入される光信号のチャネル当りの光出力をあらかじめ定められた所定値に保つ帰還手段を有し、
当該各光サービスユニットは、当該収容局中の光合分波器の入力部に光減衰手段が配置され、当該直上位のノードに具備された当該ノードの出力段に配置された光増幅器出力段で当該挿入光信号を分岐して光スペクトルアナライザで各パワーレベルをモニタし、当該挿入光信号のチャネル当りの光出力を、当該直上位のノード出力の他の光信号のチャネル当りの光出力に等化されたあらかじめ定められた所定値に保つ帰還手段を有し、各光信号の出力を所要値以内とすることを特徴とする波長多重ネットワーク。
【請求項１１】
前記各収容局と前記各光サービスユニット間に引き落とし点を設け、該引き落とし点には光合分波器が収容されており、前記各光サービスユニットから前記各収容局への挿入光信号のチャネル当りの出力等化を行う際に、光スペクトルアナライザでモニタした各チャネルのパワーレベルをあらかじめ定められた所定値に保つ制御用信号を、監視用信号に重畳して前記引き落とし点中の光減衰手段に帰還することにより各光信号の出力を所要値以内になるように制御することを特徴とする請求項１０に記載の波長多重ネットワーク。
【請求項１２】
前記最上位とその直下位のネットワークがリングである２重リング構造であり、前記直下位のリングネットワークに属するノードが単一あるいは複数であり、前記直下位のリングネットワークに属するノードが収容局となっており、前記光サービスユニットが当該収容局に対してスター状に接続されていることを特徴とする請求項１０または１１のいずれかに記載の波長多重ネットワーク。
【請求項１３】
前記光サービスユニットからの光信号が集約される当該収容局には、光増幅器、光スイッチ、光合分器を用いて上位局との間で波長多重信号を送受し、当該収容局より上位に位置するノードあるいは収容局においては、光増幅器と受動光部品を用いて当該最上位のネットワークに属する当該センタノードと当該光サービスユニットとの間の通信を行うことを特徴とする請求項１０乃至１２のいずれかに記載の光波長多重ネットワーク。
【請求項１４】
当該収容局が含まれる下位のリングネットワークとその上位のリングネットワークとの両方に属する収容局またはノードにおいて、当該下位のリングネットワークに属する当該収容局間を結ぶ２本のループ状の光ファイバの一方がそれぞれ開放されており、
当該収容局または当該ノードの一方または双方には波長選択性を有する光合分波器をもたず、前記光サービスユニット自身が波長分波機能を有していることを特徴とする請求項１０または１１のいずれかに記載の波長多重ネットワーク。
【発明の詳細な説明】
【０００１】
【発明の属する技術分野】
本発明は、光波長でルーティングを行う波長分割多重（ＷＤＭ：ｗａｖｅｌｅｎｇｔｈ  ｄｉｖｉｓｉｏｎ  ｍｕｌｔｉｐｌｅｘｉｎｇ）リングネットワーク及びそこで用いられるＯＡＤＭ（ｏｐｔｉｃａｌ  ａｄｄ／ｄｒｏｐ  ｍｕｌｔｉｐｌｅｘｅｒ）ノードに関するものである。
【０００２】
【従来の技術】
従来、光波長でルーティングを行う波長分割多重ネットワークとして、図１３に示すようなリングネットワークが提案されている（参考文献［１］）。図１３において、センタノード（ＣＮ）は主に空間スイッチ回路と波長変換回路からなり、各リモートノード（ＲＮ）からの光信号を集中的にスイッチングする。
リモートノードは、図１４に示すように光カップラ３と、波長多重回路４ａ、波長分離回路４ｂと、光受信回路（Ｒｘ）１２と、光送信回路（Ｔｘ）１１とからなり、光ファイバ伝送路から光カップラ３を用いて信号光パワーの一部を分岐し、所定の波長の光信号をドロップ（受信）し、一方光カップラ３の他の入力端から所定の波長の光信号をアド（送信）するＯＡＤＭ機能を有する。
【０００３】
各リモートノード（ＲＮ）には送信用／受信用の波長が割当てられており、ノード間の通信は以下のように行われる。例えばリモートノード（ＲＮｎ）からリモートノード（ＲＮｉ）に向けて光信号を送信する場合、リモートノード（ＲＮｎ）は割当てられた送信波長の光信号を、経路Ｒ１を介してセンタノード（ＣＮ）に送信する。センタノード（ＣＮ）では、この光信号をリモートノード（ＲＮｉ）に割当てられた受信波長の光信号に変換し、経路Ｒ２を介してリモートノード（ＲＮｉ）に送信する。リモートノード（ＲＮｉ）では、光カップラにより光信号パワーの一部を分岐し、波長分離回路内の受信波長に対応する光フィルタを用いて光信号を選択、受信する。
【０００４】
センタノード（ＣＮ）から各リモートノード（ＲＮ）への受信用信号は光カップラを介してセンタノード（ＣＮ）に戻るため、各リモートノード（ＲＮ）からセンタノード（ＣＮ）への送信用帯域とセンタノード（ＣＮ）から各リモートノード（ＲＮ）への受信用帯域とは別帯域にして互いに重ならないように割り当てる。光カップラの代わりに、光フィルタや光合分波器を用いて所定波長の光信号のアド／ドロップを行うことにより、送信用帯域と受信用帯域を同帯域にして使用帯域を効率化することも可能である（参考文献［２］、［３］参照）が、各リモートノードへの収容波長が固定される、トラヒック状況に応じた容量の再配分が困難となる、等の要因により、光ファイバ伝送路上に波長選択素子を配置しない本構成の方がネットワーク運用上の柔軟性が高い。
【０００５】
上記構成に代表される従来技術を用いて同一県内あるいは他県間の転送ネットワークを実現する場合、要求されるリング長は数百ｋｍ以上になり、光ファイバやリモートノードの損失を光増幅器により補償しながらＷＤＭ信号を中継伝送することになる。各リモートノードにおいては、センタノードから割当てられた受信用波長を取り出（ドロップ）してセンタノードへの送信用信号を送出（アド）するために、ＷＤＭ信号光のチャネル数はリモートノード入力時と出力時で異なる（図１３参照）と共に、運用上の容量再配分や障害等の理由で動的に変動することが考えられる。
【０００６】
また、光ファイバ長、ファイバ特性／融着損失、光部品損失、等のばらつきや経年変化により、光ファイバ損失は必ずしも一定でなく、リモートノード入力端におけるチャネル当りの信号光パワーは光ファイバ毎に一定とはならない。
チャネル数及び入力パワーの変動を共に吸収して、且つＷＤＭ信号の所定の平坦性を保ちながら、チャネル当りの信号光パワーの出力レベルを一定に保つ方法としては、従来、図１５に示す利得制御された光増幅器が提案されている（参考文献［４］）。
【０００７】
図１５に示すように、基本構成は利得特性が平坦でかつ利得一定制御（ＡＧＣ：ａｕｔｏｍａｔｉｃ  ｇａｉｎ  ｃｏｎｔｒｏｌ）されたＡＧＣ光増幅器２０、２１と、可変アッテネータ２２を用いたフィードバック回路とからなる。  ＡＧＣ光増幅器２０（ＡＧＣ光増幅器２１も同一構成）は、エルビウム添加ファイバ（ＥＤＦ：  Ｅｒｂｉｕｍ−ｄｏｐｅｄ  ｆｉｂｅｒ）２０２、合波器２０３、励起光源２０６で構成される光増幅器（ＥＤＦＡ：  Ｅｒｂｉｕｍ−ｄｏｐｅｄ  ｆｉｂｅｒ  ａｍｐｌｉｆｉｅｒ）と、光カップラ２００、２０１と、受光器２０４、２０５と、対数演算器２０７と、差動増幅器２０８とから構成されている。ＡＧＣ光増幅器２０は、光増幅器の入力／出力パワーを光カップラ２００、２０１、及び受光器２０４、２０５でモニタし、対数演算器２０７と差動増幅器２０８によってその比（すなわち利得）を一定に保つことで利得一定動作している。
【０００８】
また、光カップラ２３、バンドパスフィルタ（ＢＰＦ）２４を用いて所定の波長の制御光を取り出して受光器２５でモニタし、差動増幅器２６と光アッテネータ２２を用いてその値を常に一定値に保つことでチャネル当りの出力を一定制御（ＡＬＣ：ａｕｔｏｍａｔｉｃ  ｌｅｖｅｌ  ｃｏｎｔｒｏｌ）する。尚、光カップラ２３は後段のＡＧＣ光増幅器２１の出力部に配置しても良い。
【０００９】
上記以外のＡＬＣ制御法として、図１６に示すように、ＡＷＧ（ａｒｒａｙｅｄ  ｗａｖｅｇｕｉｄｅ  ｇｒａｔｉｎｇ）２７等を用いて信号光全チャネルのパワーをモニタしてその最大値を制御する方法（参考文献［５］参照）、図１７に示すように、受光器２５と光スペクトルアナライザ（ＯＳＡ：ｏｐｔｉｃａｌ  ｓｐｅｃｔｒｕｍ  ａｎａｌｙｚｅｒ）２７とを用いて信号光のトータルパワーとチャネル数とを検出した後、除算器２８を用いてチャネル当りのパワーを割り出して一定制御する方法（参考文献［６］参照）、等が提案されている。
【００１０】
いずれの方法も制御光を用いずにＡＬＣ制御が可能であるものの、部品点数が増大する、信号光全チャネルのパワーモニタが必要であるためチャネル数変動／増設に対応しづらい（図１６）、波長数検出に光スペクトルアナライザ等の掃引手段を要するため制御時定数が長くなる（図１７）、等の特徴がある。
【００１１】
【発明が解決しようとする課題】
従来技術を用いてリングネットワークの中継を行う場合、以下の技術課題を解決する必要がある。リモートノード（ＲＮ）の前段に利得制御された光増幅器を配置するのみでは、アド光（センタノード（ＣＮ）への送信用信号）の出力を制御することができず、またリモートノード（ＲＮ）の後段に利得制御された光増幅器を配置するのみでは、ドロップ光（センタノード（ＣＮ）からの受信用信号）の出力を制御することができない。このためリモートノード（ＲＮ）の前段及び後段に利得制御された光増幅器を配置して出力レベルを制御する必要が生じ、装置点数の多いネットワーク構成になってしまう。
【００１２】
また、センタノード（ＣＮ）への送信用信号を送出する時に、送信信号光のパワーを前段の光ファイバより入力してきた信号光のパワーと同じ値に等化して出力する必要があるが、これに対応するには、光増幅器の利得制御のみでは対応しきれず、リモートノード（ＲＮ）中における送信器（送信回路）の出力レベルの制御が必要である。
以上説明したように、リングネットワーク中の光ファイバやリモートノード（ＲＮ）の損失を補償してＷＤＭ信号を光中継する場合には、損失のばらつき、リモートノード（ＲＮ）への入力チャネル数変動、リモートノード（ＲＮ）におけるアド／ドロップ（送信／受信）によるチャネル数変動、及びアド光の光等化、等を考慮して、光増幅器単体の利得制御のみでなくノード全体で総合的に出力一定動作を行う必要がある。
【００１３】
本発明はこのような事情に鑑みてなされたものであり、上記課題を解決したＯＡＤＭノード及びそれを用いた波長多重ネットワークを提供することを目的とする。
【００１４】
【課題を解決するための手段】
上記目的を達成するために、請求項１に記載の発明は、所定波長の光信号を取り出して受信、あるいは所定波長の送信用光信号を挿入することにより、波長分割多重信号の分岐挿入を行うＯＡＤＭを有するＯＡＤＭノードにおいて、各々利得一定制御される、ノード入力段及び出力段に配置される光増幅器と、前記ＯＡＤＭの前段もしくは後段もしくは内部に配置される光減衰手段と、前記ノード出力段に配置される光増幅器の出力部で、あらかじめ光信号と共に入力された所定波長を有する制御光のパワーレベルをモニタし、チャネル当りの光出力をあらかじめ定められた所定値に保つように前記光減衰手段を制御する第１の帰還手段と、前記ノード出力段に配置される光増幅器の出力部で、前記挿入光信号を分岐してパワーレベルをモニタし、当該挿入光信号のチャネル当りの光出力を前記ノード出力段に配置される光増幅器出力の他の光信号のチャネル当りの光出力に等化されたあらかじめ定められた所定値に保つ第２の帰還手段とを有することを特徴とする。
【００１５】
また、請求項２に記載の発明は、請求項１に記載のＯＡＤＭノードにおいて、前記ＯＡＤＭは、受動光部品を用いて光信号のパワーの一部を分岐し、分波器により所定波長の光信号を取り出して受信、あるいは合波器により送信器からの所定波長の光信号を挿入することにより、波長分割多重信号の分岐挿入を行うことを特徴とする。
【００１６】
また、請求項３に記載の発明は、請求項１または２のいずれかに記載のＯＡＤＭノードにおいて、前記第１の帰還手段は、チャネル当りの光出力一定制御の際に、光分波器と受光手段により当該全チャネルのパワーレベルをモニタし、当該モニタ値の中で最大のものをあらかじめ定められた所定値に保つことを特徴とする。
【００１７】
また、請求項４に記載の発明は、請求項１または２のいずれかに記載のＯＡＤＭノードにおいて、前記第１の帰還手段は、チャネル当りの光出力一定制御の際に、光スペクトルアナライザと受光手段により当該信号光のチャネル数とトータルのパワーレベルをモニタし、当該パワーレベルとチャネル数の商、すなわちチャネル当りの光出力をあらかじめ定められた所定値に保つことを特徴とする。
【００１８】
また、請求項５に記載の発明は、請求項１または２のいずれかに記載のＯＡＤＭノードにおいて、前記第２の帰還手段は、当該挿入光信号のチャネル当りの出力等化の際に、当該制御光とは別波長を有する第２の制御光のパワーレベルを前記ノード出力段に配置される光増幅器の出力部でモニタし、これを参照値として帰還制御を行うことを特徴とする。
【００１９】
また、請求項６に記載の発明は、請求項２乃至５のいずれかに記載のＯＡＤＭノードにおいて、前記第２の帰還手段は、当該挿入光信号のチャネル当りの出力等化の際に、当該光送信器の出力パワーレベルを当該合波用光部品への挿入点よりも前段でモニタし、あらかじめ定められた所定値に保つ帰還制御を行うことを特徴とする。
【００２０】
また、請求項７に記載の発明は、請求項２乃至５のいずれかに記載のＯＡＤＭノードにおいて、前記第２の帰還手段は、当該各挿入光信号のチャネル当りの出力等化の際に、前記分波器により取り出された所定の受信光信号のパワーレベルをモニタし、これを参照値として当該光送信器の出力パワーレベルの帰還制御を行うことを特徴とする。
【００２１】
また、請求項８に記載の発明は、請求項２乃至５のいずれかに記載のＯＡＤＭノードにおいて、前記第２の帰還手段は、当該挿入光信号のチャネル当りの出力等化の際に、当該分波器により当該挿入光信号と所定の受信光信号とを取り出してパワーレベルをモニタし、両者が同じ値をとる様当該光送信器の出力パワーレベルの帰還制御を行うことを特徴とする。
【００２２】
また、請求項９に記載の発明は、少なくとも１つのセンタノードと２つ以上のリモートノードを有し、それらが１本の光ファイバで結ばれたリングを構成し、前記センタノードと前記各リモートノードは各々異なる波長の光を用いて直接、通信経路を設定し、前記センタノードにおいては、前記各リモートノードへの光信号と所定波長を有する制御光とを送出すると共に前記各リモートノードからの光信号を受信し、当該各リモートノードにおいては、受動光部品を用いて、光信号のパワーの一部を分岐し光合分波器により所定波長の光信号を取り出して受信し、あるいは送信器からの所定波長の光信号を挿入することにより、前記センタノードとの送受信を行う波長多重ネットワークにおいて、  前記各リモートノードとして請求項２乃至８のいずれかに記載のＯＡＤＭノード用いて、各光信号の出力を所要値以内とすることを特徴とする。
【００２３】
また、請求項１０に記載の発明は、少なくとも２つの階層化した構造を持つ光ネットワークにおいて、最も上位に位置するネットワークは、少なくともひとつのセンタノードと２つ以上のリモートノードを有し、それらが４本の光ファイバによって結ばれたリングネットワークであり、
最も下位のネットワークを除く中間のネットワークは、その上位のネットワークに属するノードをセンタノードとするリング構成であり、当該中間のリングネットワークに属する各ノードあるいは収容局間がそれぞれ４本の光ファイバによって結ばれ、当該下位のリングネットワークに属する当該収容局間を結ぶ２本のループ状の光ファイバの一方がそれぞれ開放されており、
前記最下位のネットワークは、光サービスユニットからのトラフィックを集約する収容局を中心としたスター構成で、当該各光サービスユニットと当該収容局の間をそれぞれ光ファイバで直接結ぶスターネットワークであり、
前記最上位のネットワークに属する前記センタノードと前記各光サービスユニットが、それぞれ波長の異なる光を用いて、上り用と下り用で異なる２本の光ファイバにより双方向伝送を行うことで直接通信経路を設定し、この両者の間に介在する収容局あるいはノードにおいては、電気的処理を一切行わず光信号のまま増幅と分岐あるいはルーティングのみを行う波長多重ネットワークにおいて、
前記最上位のネットワークに属する前記センタノードと前記各光サービスユニットの間に介在するリング状に接続された前記収容局あるいは前記ノードが、入力部および出力部に配置された利得一定制御された光増幅器、受動光部品、光減衰手段、とから構成され、前記センタノードより送出された第１の所定波長を有する制御光は、前記最上位のリングネットワーク中の下り用光ファイバを伝搬すると共に各リモートノードで分岐されて当該下位のリングネットワーク中の下り用光ファイバを伝搬し、当該開放点において折り返され、当該下位のリングネットワーク中の上り用光ファイバを伝搬して前記最上位のリングネットワーク中リモートノードの上り用光ファイバに配置された受動光部品へと挿入された後、前記リモートノードの出力段で光フィルタにより除去され、当該センタノードより送出された第２の所定波長を有する制御光は、前記最上位のリングネットワーク中の上り用光ファイバを伝搬し、
前記最上位のリングネットワーク中の下り用光ファイバ、当該下位のリングネットワーク中の下り用及び上り用光ファイバ、が接続された当該各収容局あるいは当該各ノードにおいては、当該ノードの出力段に配置された光増幅器の出力部で当該第１の所定波長を有する制御光のパワーレベルをでモニタし、当該光減衰手段に帰還して当該収容局あるいは当該ノードのチャネル当りの光出力をあらかじめ定められた所定値に保つ帰還手段を有し、
前記最上位のネットワークに属するリモートノードにおける、当該下位のリングネットワーク中の上り用光ファイバと当該最上位のリングネットワーク中の上り用光ファイバとの接続点では、前記第２の所定波長を有する制御光のパワーレベルを当該後段の光増幅器出力段でモニタし、当該光減衰手段に帰還してリモートノードのチャネル当りの光出力をあらかじめ定められた所定値に保つ帰還手段を有すると共に、当該下位のリングネットワークからの信号挿入点直前に利得一定制御された光増幅器と第２の光減衰手段とを配置され、当該第１の所定波長を有する制御光のパワーレベルをモニタし、当該第２の光減衰手段に帰還して当該ノードヘ挿入される光信号のチャネル当りの光出力をあらかじめ定められた所定値に保つ帰還手段を有し、
当該各光サービスユニットは、当該収容局中の光合分波器の入力部に光減衰手段が配置され、当該直上位のノードに具備された当該ノードの出力段に配置された光増幅器出力段で当該挿入光信号を分岐して光スペクトルアナライザ（ＯＳＡ）で各パワーレベルをモニタし、当該挿入光信号のチャネル当りの光出力を、当該直上位のノード出力の他の光信号のチャネル当りの光出力に等化されたあらかじめ定められた所定値に保つ帰還手段を有し、各光信号の出力を所要値以内とすることを特徴とする。
【００２４】
また、請求項１１に記載の発明は、請求項１０に記載の波長多重ネットワークにおいて、前記各収容局と前記各光サービスユニット間に引き落とし点を設け、該引き落とし点には光合分波器が収容されており、前記各光サービスユニットから前記各収容局への挿入光信号のチャネル当りの出力等化を行う際に、光スペクトルアナライザでモニタした各チャネルのパワーレベルをあらかじめ定められた所定値に保つ制御用信号を、監視用信号に重畳して前記引き落とし点中の光減衰手段に帰還することにより各光信号の出力を所要値以内になるように制御することを特徴とする。
【００２５】
また、請求項１２に記載の発明は、請求項１０または１１のいずれかに記載の波長多重ネットワークにおいて、前記最上位とその直下位のネットワークがリングである２重リング構造であり、前記直下位のリングネットワークに属するノードが単一あるいは複数であり、前記直下位のリングネットワークに属するノードが収容局となっており、前記光サービスユニットが当該収容局に対してスター状に接続されていることを特徴とする。
【００２６】
また、請求項１３に記載の発明は、請求項１０乃至１２のいずれかに記載の光波長多重ネットワークにおいて、前記光サービスユニットからの光信号が集約される当該収容局には、光増幅器、光スイッチ、光合分器を用いて上位局との間で波長多重信号を送受し、当該収容局より上位に位置するノードあるいは収容局においては、光増幅器と受動光部品を用いて当該最上位のネットワークに属する当該センタノードと当該光サービスユニットとの間の通信を行うことを特徴とする。
【００２７】
また、請求項１４に記載の発明は、請求項１０または１１のいずれかに記載の波長多重ネットワークにおいて、当該収容局が含まれる下位のリングネットワークとその上位のリングネットワークとの両方に属する収容局またはノードにおいて、当該下位のリングネットワークに属する当該収容局間を結ぶ２本のループ状の光ファイバの一方がそれぞれ開放されており、
当該収容局または当該ノードの一方または双方には波長選択性を有する光合分波器をもたず、前記光サービスユニット自身が波長分波機能を有していることを特徴とする。
【００２８】
【発明の実施の形態】
以下、本発明の実施の形態を、図面を参照して詳細に説明する。本発明の実施の形態に係る波長多重ネットワークにおけるリモートノード（ＯＡＤＭノード）の基本構成を図１に示す。同図において、リモートノードは、入力部と出力部に配置されたＡＧＣ光増幅器１ａ，１ｂと、可変アッテネータ２と、光カップラ３ａと、波長多重回路（ＡＷＧ）４ａと、波長分離回路（ＡＷＧ）４ｂと、受信器Ｒｘ及び送信機Ｔｘと、波長測定手段６ａ，６ｂ及び負帰還制御手段７ａ，７ｂを具備して可変アッテネータ２の減衰量を調整することによるＡＬＣ制御と光等化を行うフィードバック回路とからなる。
【００２９】
リモートノード入力部及び出力部のＡＧＣ光増幅器で利得一定制御を行いつつ、可変アッテネータ、波長測定手段１、負帰還制御手段１を用いてフィードバック回路を構成して、損失のばらつきやリモートノードへの入力チャネル数変動に加えて、リモートノードにおけるアド／ドロップによるチャネル数変動に対応したチャネル当りの出力一定制御（ＡＬＣ）を行う。また、波長測定手段２、負帰還制御手段２を用いてアド光のパワーをモニタし、Ｔｘ出力を制御することにより光等化を行う。
【００３０】
図２は本発明に係るＯＡＤＭノード（リモートノード（ＲＮ））の一実施形態の構成を示したものである。同図に示すように、ＡＧＣ光増幅器１ａ，１ｂは利得が平坦かつ一定制御されたＥＤＦＡ、２は可変アッテネータ、３ａ〜３ｃは光カップラ、４ａ〜４ｂは合分波用アレイ導波路格子（ＡＷＧ）、８ａ〜８ｂはバンドパスフイルタ（ＢＰＦ）、９ａ〜９ｂは受光器、１０ａ〜１０ｂは着動増幅器、１１は送信器（Ｔｘ）、１２は受信器（Ｒｘ）である。
リモートノード（ＲＮ）に入射したＷＤＭ信号はＡＧＣ光増幅器１ａにより増幅され、可変アッテネータ２、光カップラ３ａとＡＷＧ４ｂを介してセンタノードからの受信用信号が取り出（ドロップ）され、各受信器（Ｒｘ）１２により受信される。
【００３１】
一方、センタノードへの送信用信号は、各送信器（Ｔｘ）１１よりＡＷＧ４ａと光カップラ３ａを介して送出（アド）され、リモートノード（ＲＮ）をそのまま通過する信号と共にＡＧＣ光増幅器１ｂ、光カップラ３ｂを通過する。この時、あらかじめ所定の波長（λｃｏｎｔ）を割当てられた制御光を光カップラ３ｂ、バンドパスフイルタ８ａ、受光器９ａでパワーモニタし、差動増幅器１０ａと可変アッテネータ２を用いてＡＬＣ制御を行う。
【００３２】
同時に、アド光（波長λａｄｄ）を光カップラ３ｃ、バンドパスフイルタ８ｂ、受光器９ｂでパワーモニタし、上記ＡＬＣ制御の基準値をもとに光カップラ３ｂ、３ｃの損失を加味して出力を制御し、光等化を行っている。上記リモートノード（ＲＮ）中においては、ＡＧＣ光増幅器１ａ，１ｂの利得一定制御、可変アッテネータ２を用いたＡＬＣ制御、及びアド光の光等化の３穫類のフィードバック制御を行っており、各々の時定数の大きさに留意して制御が収束するよう帰還制御を行う。
【００３３】
本実施の形態に係るリモートノード（ＯＡＤＭノード）では、制御光パワーをモニタして可変アッテネータ２を調節しＡＬＣ制御を行うように構成したが、［従来の技術］の項で説明したように、信号光全チャネルのパワーをモニタしてその最大値を一定制御する方法、信号光のトータルパワーとチャネル数とからチャネル当りのパワーを割り出して一定制御する方法、を用いてＡＬＣ制御を行ってもよい。上記ＡＬＣ制御法を用いた実施形態を図３、図４に示す。図３は、信号光全チャネルのパワーをモニタしてその最大値を一定制御することによりＡＬＣ制御を行うリモートノード（ＲＮ）の構成を示し、図４は信号光のトータルパワーとチャネル数とからチャネル当りのパワーを割り出して一定制御する方法によりＡＬＣ制御を行うリモートノード（ＲＮ）の構成を示している。
【００３４】
また、上記各実施形態に係るリモートノード（ＲＮ）では、ＡＧＣ光増幅器としてＥＤＦＡを用いているが、所望の利得制御が可能な他の希土類添加ファイバ増幅器やラマン増幅器等を用いても良い。ＡＷＧ４ａ、４ｂを用いて合分波を行っているが、パワースプリッタと複数の光フィルタを組み合わせて合分波を行うことも可能である。光等化用の光カップラ３ｃはＡＧＣ光増幅器１ｂの後段に配置しても良い。上記の方法が適用できるのは、特に断りがない場合、以下に説明する他の実施の形態についても同様である。
【００３５】
図５は本発明に係るリモートノード（ＲＮ）の、さらに他の実施形態の構成を示したものである。本実施の形態は、基本構成は図２に示した実施の形態と同じであるが、図５では、図２におけるバンドパスフィルタ８ｂの代わりにＡＷＧ４ｃのような分波器を用いて、アド光と共に（ＡＬＣ制御用とは異なる）制御光１波ないしは複数波のパワーを取り出してモニタする点が異なる。図５に示す実施の形態では、ＡＬＣ制御用制御光の波長をλｃｏｎｔ１、光等化用制御光の波長をλｃｏｎｔ２とした。制御光（λｃｏｎｔ２）の光パワー（複数光モニタした場合はその最大値）を差動増幅器１０ｂへの基準値とすることで、同様にアド光出力の等化を行うことができる。
【００３６】
図６は本発明に係るリモートノード（ＲＮ）の、さらに他の実施形態の構成を示したものである。
本実施の形態は、基本構成は図２に示した実施形態と同じであるが、図６に示す実施形態では、図２に示す実施の形態において、光カップラ３ｃ、バンドパスフィルタ８ｂ、受光器９ｂを用いてアド光パワーをモニタする代わりに、ＡＷＧ４ａへの挿入点直前に光カップラ３ｃ、受光器９ｂを配置してアド光のパワーをモニタし、差動増幅器１０ｂを用いて所定の基準値になるよう光等化を行う点が異なる。ただしこの基準値は、通過する光ファイバ長やＡＷＧ４ａ、光カップラ３ａ等の光受動部品の損失（及びその波長依存性）を考慮して、アド光パワーとリモートノード（ＲＮ）をそのまま通過する信号光のパワーとが一致するよう設定する必要がある。
【００３７】
図７は本発明に係るリモートノード（ＲＮ）の、さらに他の実施形態の構成を示したものである。
本実施の形態は、基本構成は図６に示す実施形態と同じであるが、図７に示す実施形態では、図６における実施形態において、ＡＷＧ４ａへの挿入点直前に光カップラ３ｃ、受光器９ｂを配置してアド光のパワーをモニタする代わりに、あらかじめ送信器（Ｔｘ）１１内に出力パワーモニタ／調節手段を設け、受信器（Ｒｘ）１２で受信したドロップ光（波長λｄｒｏｐ）のパワーを基準値として差動増幅器１０ｂを用いて送信器（Ｔｘ）１１のアド光出力を調節し、光等化を行う点が異なる。本実施の形態においても、通過する光ファイバ長やＡＷＧ４ａ、４ｂ、光カップラ３ａ等の光受動部品の損失（及びその波長依存性）を考慮して送信器（Ｔｘ）１１のアド光出力を調節する必要がある。
【００３８】
図８は本発明に係るリモートノード（ＲＮ）の、さらに他の実施形態の構成を示したものである。
本実施の形態は、基本構成は図７に示す実施形態と同じであるが、図８に示す実施形態では、図７に示す実施形態において、送信器（Ｔｘ）１１内で出力パワーをモニタする代わりに、ＡＷＧ４ｂと受光器９ｂとを用いてアド光パワーをモニタして、光等化を行う点が異なる。ＡＷＧ４ｂは、リモートノード（ＲＮ）で受信するドロップ光のみならず、リモートノード（ＲＮ）より送信するアド光も分波可能なものを用いている。
本実施の形態では、アド光／ドロップ光とも同一の光ファイバ／光受動部品を通過するため、損失の波長依存性のみを考慮すれはよい。
【００３９】
以下で示すネットワークの構成例では、リモートノード（ＲＮ）の下位に複数の収容局が支線ループの形で収容されている場合や、収容局と光サービスユニット（ＯＮＵ：ｏｐｔｉｃａｌ  ｎｅｔｗｏｒｋ  ｕｎｉｔ）もしくは引き落とし点が離れている場合のネットワーク実現法について例示してある。支線ループを有するリングネットワーク及び各ノードに必要とされる制御機能を図９に示す。以下のネットワーク構成に関しては、参考文献［７］（特願２０００−２４０２３２）に詳細な記述がある。
【００４０】
図１０は本発明に係るＯＡＤＭノードを用いた波長多重ネットワークの実施形態を示したものである。本実施の形態は、現用／予備の４本のファイバで、センタノード（ＣＮ）から光サービスユニット（ＯＮＵ）への信号と光サービスユニット（ＯＮＵ）からセンタノード（ＣＮ）への信号の伝搬方向が逆方向となる双方向リングの場合について示した。簡単のため予備系の２本のファイバは省略してある。本実施の形態では、リモートノード（ＲＮ）に接続される収容局が複数であり、それらがリング状に接続されて支線ループを構成している。収容局は４本の光ファイバとの接続を記述してある。収容局の構成は光カップラを用いた場合について示したが、参考文献［７］に示したように光サーキュレータを用いてもよい。
【００４１】
本実施の形態に係る波長多重ネットワークの特徴は、リモートノード（ＲＮ）において収容局をリング状に接続している光ファイバの一端が開放され、そのループ内で信号の周回を防止している点と、リモートノード（ＲＮ）と収容局では波長選択性を有する光合分波器を用いない点である。送信および受信における波長選択性は光サービスユニットが具備する。
本発明において提案するネットワークは、最も上位のリモートノード（ＲＮ）に属するセンタノード（ＣＮ）以外のノードあるいは収容局においては、主信号に対する電気的処理すなわちトラフィック集約に伴う伝送速度変換等の処理を一切行わないように構成されている。
【００４２】
図１０において、リング１に属するリモートノード（ＲＮ＃２）には、ＡＧＣ光増幅器（ＡＧＣ−ａｍｐ）、光カップラ等の光受動部品、及び可変アッテネータのみを配置する。また収容局には、ＡＧＣ光増幅器（ＡＧＣ−ａｍｐ）と光カップラ等の光受動部品、可変アッテネータ（ａｔｔ）、ファイバ断等に対処するための光スイッチ、光合分波器であるＡＷＧ及び光増幅器が配置される。ＡＷＧの波長入出力の循環性を用いることにより波長多重信号の分波と合波が同時に可能となる。
【００４３】
センタノード（ＣＮ）は、ネットワーク内の光サービスユニット（ＯＮＵ）に向けて、ファイバ１を用いて信号を送出している。省略してあるが、予備系では、２本の予備ファイバのうち１本を用いて、現用とは逆周りでセンタノード（ＣＮ）からの光サービスユニット（ＯＮＵ）に向けて信号を送出する。したがって、収容局の光スイッチには、２つの経路を伝送されてきた同じ信号が入射することになる。図１０に示した光スイッチは現用ファイバを伝播してきた主信号を選択するよう設定されている。光スイッチによって、現用ファイバからの光信号のみが選択され、光合分波器に入射される。光合分波器には、センタノード（ＣＮ）からすべての光サービスユニット（ＯＮＵ）に向けてセンタノード（ＣＮ）より送出された波長多重光信号のすべてが入射し、光合分波器によって対応した波長のみが選択されて光サービスユニット（ＯＮＵ）に送られる。
【００４４】
各光サービスユニット（ＯＮＵ）からの信号は光合分波器によって合波され、続いて光カップラ等の光分岐を用いて現用／予備両方の光伝送線路に結合され、それぞれ光増幅器で増幅された後、リモートノード（ＲＮ＃２）へと送出される。リモートノード（ＲＮ）では電気的処理を行わないため、光サービスユニット（ＯＮＵ）からの信号は、センタノード（ＣＮ）において通常は光ファイバ２と予備系ファイバの１本（現用とは逆周り）の２経路から受信される。
センタノード（ＣＮ）には各光サービスユニット（ＯＮＵ）から送られてきた信号（光ファイバ２を伝搬）と自分自身が送出した信号（光ファイバ１を伝搬）の両方が入力するが、光サービスユニット（ＯＮＵ）からの信号のみを光分波器によって取り出し、受信する。
【００４５】
図中、各光サービスユニット（ＯＮＵ）からセンタノード（ＣＮ）へ向けて送出される光信号には、センタノードで使用されていない波長を用いているが、本実施例では上り用と下り用に別ファイバを用いており、同一波長によるセンタノード（ＣＮ）−光サービスユニット（ＯＮＵ）間の通信も可能である。光分波器によって分波された各光サービスユニット（ＯＮＵ）からの信号はそれぞれ光受信器（ＯＲ）によって電気信号に変換される。変換された電気信号はセレクタによって現用ファイバに対応した電気信号が選択され、電気的処理が行われ、ネットワーク内へ送出される信号とより上位のネットワークヘ送出される信号とに振り分けられる。
【００４６】
本実施の形態では、リモートノード（ＲＮ）を、ＡＧＣ光増幅器（ＡＧＣ−ａｍｐ）、光カップラ等の光受動部品、可変アッテネータ（ａｔｔ）のみで構成しているが、リモートノード（ＲＮ）にトランスポンダを用いて、波長毎に受信、等化、識別再生を行ってリング１とリング２で独立に制御することも可能である。
また、収容局と光サービスユニット（ＯＮＵ）の間を無線通信を用いて２重化を行っても良い（参考文献［７］参照）。これらの方法が適用できるのは、特に断りがない場合以下に説明する他のネットワーク構成例についても同様である。
【００４７】
本実施の形態における光中継を、図１０に示すように、光信号の流れに沿って説明する。同図において、リモートノード（ＲＮ）は、リモートノード（ＲＮ＃２）に代表されるように、各光ファイバについて見ると、光カップラの入出力段にＡＧＣ光増幅器（ＡＧＣ−ａｍｐ）２台と可変アッテネータ（ａｔｔ）を配置した構成をとる。センタノード（ＣＮ）中で発生した光サービスユニット（ＯＮＵ）への信号光とＡＬＣ制御用の制御光（波長λｃｏｎｔ１）は、光ファイバ１へ入力されてリング１内を伝搬すると共に、各リモートノード（ＲＮ）において分岐され、支線ループであるリング２へと導かれる。その際、光ファイバ１内のスパンロス変動を吸収するために、後段のＡＧＣ光増幅器（ＡＧＣ−ａｍｐ）の出力段で波長λｃｏｎｔ１の制御光を抜き出してパワーをモニタし、可変アッテネータ（ａｔｔ）にフィードバックしてＡＬＣ制御を行っている（ＡＬＣ−１、ＡＬＣ−２）。
【００４８】
支線ループであるリング２（光ファイバ１）を伝搬する信号光は、各収容局において、収容局２に代表されるように所定の波長のチャネルが取り出（ドロップ）され、光サービスユニット（ＯＮＵ）で受信される。
一方、光サービスユニット（ＯＮＵ）からセンタノード（ＣＮ）へと所定波長を割当てられた信号光はリング２（光ファイバ２）ヘ送出（アド）され、他の収容局から同様に送出（アド）されて伝播する信号光群と共に、リモートノード（ＲＮ＃２）でリング１（光ファイバ２）ヘ送出（アド）され、リング１内を伝搬してセンタノード（ＣＮ）へ到着する。ここで、リング２内では、光ファイバ１内のスパンロス変動及び光ファイバ２内のスパンロス変動と、アド光挿入によるチャネル数変動、に対するＡＬＣ制御と共に、光サービスユニットから収容局へ挿入されるアド光の光等化が必要である。
【００４９】
本実施の形態では、上記リング１内ファイバ１のＡＬＣ制御と同様に、リモートノード（ＲＮ＃２）で分岐されてリング２を伝搬する波長λｃｏｎｔ１の制御光を用いてＡＬＣ制御を行っている（ＡＬＣ−３、ＡＬＣ−４）。波長λｃｏｎｔ１の制御光を有効利用するために、収容局１において波長λｃｏｎｔ１の制御光のみを折り返して光ファイバ２内を伝搬させている。アド光の光等化は、収容局２において、光ファイバ２内における後段のＡＧＣ光増幅器（ＡＧＣ−ａｍｐ）の出力段で光スペクトルアナライザ（ＯＳＡ）を用いてアド光のパワーを各々モニタし、光合分波器としてＡＷＧ入力段に配置された可変アッテネータ（ａｔｔ）にフィードバックすることにより行っている。
【００５０】
リモートノード（ＲＮ＃２）の光ファイバ２におけるカップラを用いたアド光群挿入部に関しては、リング２内の収容局から送出された光等化されたアド光群をリング１に挿入すると共に、リング１（光ファイバ２）内のスパンロス変動に対応する必要がある。本構成例では、収容局１で折り返されてリモートノード（ＲＮ＃２）に再び到着した波長λセンタノードｎｔ１の制御光を用いてＡＬＣ制御（ＡＬＣ−５）を行うことにより、リング２からリング１へ挿入するアド光群のパワーを制御している。
一方、リング１（光ファイバ２）内のスパンロス変動に対しては、センタノード（ＣＮ）から信号光とは逆方向に、第２の波長である波長λｃｏｎｔ２を有する制御光を送出し、このパワーをモニタしてＡＬＣ制御（ＡＬＣ−６）を行うことで対応している。
【００５１】
制御を所望の時間内に収束させるように制御ＡＬＣ−５と制御ＡＬＣ−６の時定数を設計する必要がある。
また、波長λｃｏｎｔ１の制御光がリング１（光ファイバ２）を伝搬して後段のリモートノード（ＲＮ）におけるＡＬＣ制御に影響を及ぼさないよう、フィルタを用いて波長λｃｏｎｔ１の制御光をリジェクトする。光サーキュレータとファイバブラッググレーティング（ＦＢＧ）フィルタにより上記フィルタを実現しているが、ＷＤＭカップラの波長等化特性を利用することもできる。制御光波長λｃｏｎｔ１は、容易に帯域制限できるように、例えば使用波長帯域の最も短波側もしくは長波側に配置する。
【００５２】
本実施の形態では、制御ＡＬＣ−４、ＡＬＣ−５、ＡＬＣ−６を行う際にＡＧＣ光増幅器（ＡＧＣ−ａｍｐ）の出力段でパワーをモニタしているが、実装上の理由等から、光カップラのもう一方の出力段でパワーモニタしてもよい。
また本実施の形態では、波長λｃｏｎｔ１、λｃｏｎｔ２を有する制御光を用いて各リモートノード及び収容局におけるＡＬＣ制御を行っているが、ノード数や波長チャネル数が多くない場合には、図３、図４に示す実施形態で説明したように信号光全チャネルのパワーをモニタしてその最大値を一定制御する方法、信号光のトータルパワーとチャネル数とからチャネル当りのパワーを割り出して一定制御する方法、を用いてＡＬＣ制御を行ってもよい。これらは以下に説明する波長多重ネットワークの他の実施形態についても同様である。
【００５３】
図１２は本発明に係る波長多重ネットワークの他の実施形態の構成を示したものである。
本実施の形態は、基本構成は図１０に示す実施形態と同じであるが、図１２に示す実施形態では、光号分波器がユーザ近傍の引落し点に配置されている点が異なる。本実施の形態では、差動増幅器の電気出力を監視用信号（ｓｖ）に重畳して収容局から引き落とし点へと伝送し、光合分波器の入力段に配置されている可変アッテネータ（ａｔｔ）を制御して光等化を行っている。
【００５４】
（参考文献）
［１］Ｓ．Ｓ．Ｗａｇｎｅｒ，  ｅｔ  ａｌ．，  ＩＣＣ  ’９２，  Ｔｅｃｈ．Ｄｉｇｅｓｔ，  ｐｐ．１１７３−１１７９（１９９２）
［２］Ｍ．Ｆｕｋｕｉ，  ｅｔ  ａｌ．，  ＥＣＯＣ  ’９６，  ＴｈＣ．３．２，  Ｔｅｃｈ．Ｄｉｇｅｓｔ，  ｐｐ．５．３３−５．３６（１９９６）
［３］Ｌ．Ｅｌｄａｄａ，ｅｔ  ａｌ．，ＩＥＥＥ  Ｐｈｏｔｏｎ．  Ｔｅｃｈｎｏｌ．Ｌｅｔｔ．，１１，ｐｐ．４４８−４５０（１９９９）
［４］Ｓ．Ｋｉｎｏｓｈｉｔａ，ｅｔ  ａｌ．，ＯＡＡ  ’９６，  Ｔｅｃｈ．Ｄｉｇｅｓｔ，ＳａＡ５，ｐｐ．５４１−５４２（１９９６）
［５］Ｈ．Ｓｕｚｕｋｉ，ｅｔ  ａｌ．，ＩＥＥＥ  Ｐｈｏｔｏｎ．  Ｔｅｃｈｎｏｌ．Ｌｅｔｔ．，１０，ｐｐ．７３４−７３６（１９９８）
［６］吉田他、１９９６年電子情報通信学会ソサイエティ大会  Ｂ−１０９６
［７］高知尾他、特願２０００−２４０２３２
【００５５】
【発明の効果】
以上説明したように、本発明によれば、光ファイバ損失のばらつき、リモートノード（ＲＮ）や収容局への入力チャネル数変動、アド／ドロップによるチャネル数変動、及びアド光の光等化、等を考慮して、ＯＡＤＭノード全体で総合的に出カ一定制御してＷＤＭ信号を光中継することができ、大容量ＷＤＭリングネットワークの実現が可能となる。
【図面の簡単な説明】
【図１】本発明の波長多重ネットワークを構成するリモートノードの基本的構成を示すブロック図。
【図２】本発明の第１の実施の形態に係るリモートノードの構成を示すブロック図。
【図３】本発明の第２の実施の形態に係るリモートノードの構成を示すブロック図。
【図４】本発明の第３の実施の形態に係るリモートノードの構成を示すブロック図。
【図５】本発明の第４の実施の形態に係るリモートノードの構成を示すブロック図。
【図６】本発明の第５の実施の形態に係るリモートノードの構成を示すブロック図。
【図７】本発明の第６の実施の形態に係るリモートノードの構成を示すブロック図。
【図８】本発明の第７の実施の形態に係るリモートノードの構成を示すブロック図。
【図９】本発明が適用される波長多重ネットワークの基本的構成を示すブロック図。
【図１０】本発明の実施の形態に係る波長多重ネットワークの具体的構成を示すブロック図。
【図１１】図１０に示す波長多重ネットワークにおける光ファイバ内におけるＡＬＣ制御の制御状態を示す説明図。
【図１２】本発明の他の実施の形態に係る波長多重ネットワークの具体的構成を示すブロック図。
【図１３】従来の波長多重リングネットワークの構成を示すブロック図。
【図１４】図１３に示す波長多重リングネットワークにおけるリモートノードの構成を示すブロック図。
【図１５】利得制御された光増幅器の具体的構成の一例を示すブロック図。
【図１６】利得制御された光増幅器の具体的構成の他の例を示すブロック図。
【図１７】利得制御された光増幅器の具体的構成の、さらに他の例を示すブロック図。
【符号の説明】
１ａ，１ｂ  ＡＧＣ光増幅器
２  可変アッテネータ
３ａ〜３ｄ  光カップラ
４，４ａ〜４ｃ  合分波用アレイ導波路格子（ＡＷＧ）
６ａ，６ｂ  波長測定手段
７ａ，７ｂ  負帰還制御手段
８，８ａ，８ｂ  バンドパスフィルタ（ＢＰＦ）
９，９ａ〜９ｄ  受光器
１０ａ，１０ｂ  差動増幅器
１１  送信器（Ｔｘ）
１２  受信器（Ｒｘ）
１３  光スペクトルアナライザ（ＯＳＡ）
１４  除算器
【図１】
0003589974.tif 000002
【図２】
0003589974.tif 000003
【図３】
0003589974.tif 000004
【図４】
0003589974.tif 000005
【図５】
0003589974.tif 000006
【図６】
0003589974.tif 000007
【図７】
0003589974.tif 000008
【図８】
0003589974.tif 000009
【図９】
0003589974.tif 000010
【図１０】
0003589974.tif 000011
【図１１】
0003589974.tif 000012
【図１２】
0003589974.tif 000013
【図１３】
0003589974.tif 000014
【図１４】
0003589974.tif 000015
【図１５】
0003589974.tif 000016
【図１６】
0003589974.tif 000017
【図１７】
0003589974.tif 000018